(57)【要約】【課題】  皮剥ぎ性が良好であり、従来品同等の応力腐食断線対策効果を有し、且つ、アーク溶断特性の向上も期待できる架空配電線を提供する。【解決手段】  架空配電線１は、中心導体２の周囲に複数の導体３，３を配置すると共に、複数の導体３，３の周囲を絶縁体５で被覆して形成され、複数の導体３，３は、それぞれの断面が略台形状であり、隣り合う導体３，３との接触面積及び絶縁体５との接触面積ができるだけ大きくなるように配置され、中心導体２と複数の導体３，３との間に水密剤４が充填され、複数の導体３，３と絶縁体５との間には水密剤４は充填されていないことを特徴とする。【選択図】図１
2019079718.tif 000002
【特許請求の範囲】
【請求項１】
中心導体の周囲に複数の導体を配置すると共に、該複数の導体の周囲を絶縁体で被覆した架空配電線において、
前記複数の導体は、それぞれの断面が略台形状であり、隣り合う導体との接触面積及び前記絶縁体との接触面積ができるだけ大きくなるように配置され、
前記中心導体と前記複数の導体との間に水密剤が充填され、前記複数の導体と前記絶縁体との間には水密剤は充填されていないことを特徴とする架空配電線。
【請求項２】
前記複数の導体は、前記絶縁体側の面が円弧状凸面であると共に、前記中心導体側が円弧状凹面であることを特徴とする請求項１に記載の架空配電線。
【請求項３】
前記複数の導体は、複数本の導体を撚り合わせた状態で外周面及び内周面が断面円弧状であることを特徴とする請求項１又は２に記載の架空配電線。
【請求項４】
前記複数の導体は、その本数が４本から８本であることを特徴とする請求項１〜３の何れかに記載の架空配電線。
【請求項５】
前記複数の導体は、加圧圧縮されていることを特徴とする請求項１〜４の何れかに記載の架空配電線。
【請求項６】
前記水密剤は、水密コンパウンドであることを特徴とする請求項１〜５の何れかに記載の架空配電線。
【請求項７】
前記水密剤は、ロジン系樹脂であることを特徴とする請求項１〜５の何れかに記載の架空配電線。
【発明の詳細な説明】
【技術分野】
【０００１】
本発明は、架空配電線に関し、さらに詳しくは、内部の所定領域に水密剤を充填した構造の架空配電線に関する。
【背景技術】
【０００２】
架空配電線分野で課題となっている事象として応力腐食断線がある。この応力腐食断線は、電線内部に雨水が浸入し、それによる錆によって発生する。従来用いられていた応力腐食断線対策を図った架空配電線は、電線内部全体に水密剤と呼ばれる樹脂材料を充填した構造である。その一例として、特許文献１に示す架空配電線があり、図２に示す構造を有している。特許文献１に示す架空配電線１０は、中心に鋼線１１を配設し、この鋼線１１を銅、アルミニウム等による複数（図２では６本）の導体１２，１２を同心円上に撚り合わせ、この複数の導体１２，１２の外周を絶縁体１３で被覆して電線部分が構成され、さらに、鋼線１１と導体１２，１２の間に油性の水密コンパウンドによる第一の充填剤１４が充填され、導体１２，１２と被覆の１３との間隙にプラスチック系の水密コンパウンドによる第二の充填剤１５が充填された構造とすることで、導体の断面積の低下が防止され、さらに水密性の向上が図られるというものである。
【先行技術文献】
【特許文献】
【０００３】
【特許文献１】特開平１１−２３２９３４号公報
【発明の概要】
【発明が解決しようとする課題】
【０００４】
しかし、従来の架空配電線は、被覆１３と導体１２との間に第二の充填剤１５（＝水密剤）が充填されているため、これが障害となって架線工事等で必要となる皮剥ぎ（被覆の除去）作業が行い難くなるという問題がある。
【０００５】
また、架空配電線１０内に浸入した水分は、中心に向かって浸透し、鋼線１１と導体１２，１２の間が腐食しやすいという問題がある。
【０００６】
本発明者らは、上記問題点を解決するために鋭意検討したところ、外部コア部を形成する複数の導体の断面形状を工夫することにより複数の導体と絶縁体との空隙や複数の導体相互の空隙を殆ど無くすことが可能であり、外部コア部を形成する複数の導体と絶縁体の間に水密剤を充填しなくても雨水の浸入を防止可能であることを知見し、本発明に至ったものである。
【０００７】
そこで、本発明は皮剥性（施工性）が良好であり、しかも従来品と同等の応力腐食断線対策効果を有し、且つ、アーク溶断特性（雷による溶断のし易さ）の向上も期待できる架空配電線を提供することを目的とする。
【課題を解決するための手段】
【０００８】
上記課題を解決するために請求項１に記載の発明は、中心導体の周囲に複数の導体を配置すると共に、該複数の導体の周囲を絶縁体で被覆した架空配電線において、前記複数の導体は、それぞれの断面が略台形状であり、隣り合う導体との接触面積及び前記絶縁体との接触面積ができるだけ大きくなるように配置され、前記中心導体と前記複数の導体との間に水密剤が充填され、前記複数の導体と前記絶縁体との間には水密剤は充填されていないことを特徴とする。
【０００９】
上記課題を解決するために請求項２に記載の発明は、請求項１に記載の架空配電線において、前記複数の導体は、前記絶縁体側の面が円弧状凸面であると共に、前記中心導体側が円弧状凹面であることを特徴とする。
【００１０】
上記課題を解決するために請求項３に記載の発明は、請求項１又は２に記載の架空配電線において、前記複数の導体は、複数本の導体を撚り合わせた状態で外周面及び内周面が断面円弧状であることを特徴とする。
【００１１】
上記課題を解決するために請求項４に記載の発明は、請求項１〜３の何れかに記載の架空配電線において、前記複数の導体は、その本数が４本から８本であることを特徴とする。
【００１２】
上記課題を解決するために請求項５に記載の発明は、請求項１〜４の何れかに記載の架空配電線において、前記複数の導体は、加圧圧縮されていることを特徴とする。
【００１３】
上記課題を解決するために請求項６に記載の発明は、請求項１〜５の何れかに記載の架空配電線において、前記水密剤は、水密コンパウンドであることを特徴とする。
【００１４】
上記課題を解決するために請求項７に記載の発明は、請求項１〜５の何れかに記載の架空配電線において、前記水密剤は、ロジン系樹脂であることを特徴とする。
【発明の効果】
【００１５】
本発明に係る架空配電線によれば、隣り合う導体との接触面積ができるだけ最大となるように、また、複数の導体と絶縁体との接触面積ができるだけ最大となるように複数の導体と絶縁体を配置すると共に複数の導体と中心導体を水密剤で覆うことにより主たる雨水の浸入経路である複数の導体間の空隙をできるだけ無くし、腐食の進行しやすい中心導体の周囲に水密剤を配置することで十分な応力腐食断線対策効果を発揮すると共に、耐アーク溶断特性が向上するという効果がある。また、従たる雨水浸入経路である導体と絶縁体との間には水密剤を充填しないため、皮剥性（施工性）が良好になるという効果がある。
【図面の簡単な説明】
【００１６】
【図１】本発明に係る架空配電線の一実施形態を示す断面図である。
【図２】従来の架空配電線を示す断面図である。
【発明を実施するための形態】
【００１７】
［架空配電線の構成］
以下、本発明に係る架空配電線について、好ましい一実施形態に基づいて詳細に説明する。図１は本発明に係る架空配電線の一実施形態を示す断面図である。本発明に係る架空配電線１は、概略として、中心に配設された中心導体２と、その外側に配設された複数の導体３，３と、複数の導体３，３と中心導体２との間に充填された水密剤４と、複数の導体３，３の周囲を被覆する絶縁体５を備えて構成されている。尚、複数の導体３，３は外部コア部６を形成する。
【００１８】
中心導体２は、例えば、アルミニウム、アルミニウム合金、銅等の金属線によって形成される。但し、架線の弛度変化に対する対策が必要な場合には上記金属に代えて鋼線が使用される。
【００１９】
外部コア部６は、中心導体２との間に水密剤４が充填された状態で複数の導体３，３（ここでは６本）を加圧圧縮して配設された構造になっている。導体３は、例えば、アルミニウム、アルミニウム合金、銅等によって形成され、複数本を撚り合わせることにより外部コア部６が形成されている。尚、導体３，３の本数は、複数本を撚り合わせた状態で外周面側（絶縁耐側）及び内周面側（中心導体側）を断面円弧状とするために、４本〜８本程度とするのが好ましい。また、導体３，３はそれぞれの断面が略台形状とされ、外周面側が円弧状凸面に加工されていると共に、内周面側が円弧状凹面に加工されており、導体３，３を撚り合わせた状態で外周面及び内周面が断面円形状となっている。そして、外部コア部６が圧縮により形成されているため、隣り合う導体３，３同士が面接触してその接触面積ができるだけ大きくなるように形成される。また、導体３，３の外周面と絶縁体５との接触面積もできるだけ大きくなるように形成される。この場合、隣り合う導体３，３同士の接触面積及び導体３，３の外周面と絶縁体５との接触面積が最大となるのが好ましい。このように形成することにより架空配電線１内部への水分の浸入を極力低減することが可能となる。
【００２０】
水密剤４は、水密コンパウンド、例えば、ＥＶＡ（エチレン−酢酸ビニル共重合体）、ＥＥＡ（エチレン−エチルアクリレート共重合体）、ＥＭＡ（エチレン−メチルアクリレート共重合体）など、又は同等の性能を有する樹脂類を用いることができる。水密剤４はそれぞれを単独でも或いは複数を併用してもよい。また、水密剤４としてロジン系樹脂を用いることもできる。ロジン系樹脂としては、例えばロジンエステルを用いることができる。ロジンエステルは天然樹脂であるロジンから誘導される粘着特性を有するエステル樹脂である。また、ロジン系樹脂としてロジン変性フェノールを用いることもできる。尚、ロジン系樹脂は水密コンパウンドと共に水密剤４として用いることもできる。本実施形態では、中心導体２と導体３，３との間にのみ水密剤４を充填し、従来設けられていた第二の充填剤１５（図２参照）を不要としている。尚、導体３，３と絶縁体５との間に何も充填しない他、導体３，３と絶縁体５との剥離性を阻害しない物質、例えば、油脂などを充填してもよい。その結果、架線工事時の皮剥ぎ（被覆除去）の作業性を向上させながら、水密剤４が存在することによって従来の架空配電線と同等の応力腐食断線対策効果を得ることができる。さらに、絶縁物である水密剤４を設けたことで、アーク溶断特性の向上も期待できる。
【００２１】
絶縁体５は、例えば、塩化ビニル樹脂またはポリエチレン、架橋ポリエチレン等が用いられる。尚、本実施形態においては、雪害対策用の一対のヒレ７，７が設けられているが、降雪の無い地域に架設される用途においては、架空配電線１にヒレ７，７を設けない形状にすることができる。また、ヒレ７，７の形状はこれに限定されるものではなく、周面全体に凹凸を設けるなど適宜の形状を採用することができる。
【００２２】
［実施形態の効果］
本実施形態に係る架空配電線によれば、複数の導体３，３は、それぞれの断面が略台形状であり、隣り合う導体３，３との接触面積及び絶縁体５との接触面積ができるだけ大きくなるように配置したので絶縁体５との間に水密剤４が充填されていなくても架空配電線１の内部への雨水の浸入が防止されると共に、架線工事時の皮剥ぎの作業性を向上させることができるという効果がある。また、従来の架空配電線と同等の応力腐食断線対策効果が得られるという効果がある。
【００２３】
また、本実施形態に係る架空配電線によれば、水密剤４として水密コンパウンド、又は、ロジン系樹脂を用いることしたので、水密剤４が絶縁物として機能してアーク溶断特性（雷による溶断のし易さ）の向上が期待できるという効果がある。
【００２４】
さらに、本実施形態に係る架空配電線によれば、複数の導体３，３と絶縁体５との間には何も充填されていないので架線工事時の皮剥ぎ（被覆除去）の作業性を向上させることができるという効果がある。
【００２５】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。例えば、本実施形態では架空配電線に適用した例を示したが、中心導体と複数の導体からなる外部コア部を有し、両者間に水密剤を充填した構成の他の電線にも適用可能である。
【符号の説明】
【００２６】
１      架空配電線
２      中心導体
３      外部コア部
４      水密剤
５      絶縁体
６      導体
７      ヒレ
【図１】
2019079718.tif 000003
【図２】
2019079718.tif 000004